(57)【要約】【課題】装飾用の表示体が剥がれ難く、かつ、打音をより高音化すること。【解決手段】フェース部と、クラウン部と、ソール部と、サイド部とを有する中空のゴルフクラブヘッドにおいて、前記ソール部に形成され、周辺部分よりも突出した凸部と、前記凸部の後部の周辺部分において、前記ソール部に設けた装飾用の表示体と、を備えたことを特徴とする。【選択図】図２
2013000184.tif 000002
【特許請求の範囲】
【請求項１】
フェース部と、クラウン部と、ソール部と、サイド部とを有する中空のゴルフクラブヘッドにおいて、
前記ソール部に形成され、周辺部分よりも突出した凸部と、
前記凸部の後部の周辺部分において、前記ソール部に設けた装飾用の表示体と、
を備えたことを特徴とするゴルフクラブヘッド。
【請求項２】
前記表示体の下に下地塗装層が形成され、
前記表示体の表面に透明の保護層が形成されていることを特徴とする請求項１に記載のゴルフクラブヘッド。
【請求項３】
前記下地塗装層の形成領域の周縁に角部が形成され、
前記表示体は前記形成領域よりも小さいことを特徴とする請求項２に記載のゴルフクラブヘッド。
【請求項４】
前記凸部は、トウ-ヒール方向の中央部分において、前記フェース部からバック側へ延設され、かつ、トウ-ヒール方向の幅が前記フェース部からバック側へ向かって減少していることを特徴とする請求項１に記載のゴルフクラブヘッド。
【請求項５】
前記表示体が、前記ソール部に貼着されたシート、又は、前記ソール部に転写されたインク体であることを特徴とする請求項１に記載のゴルフクラブヘッド。
【発明の詳細な説明】
【技術分野】
【０００１】
本発明はゴルフクラブヘッドに関する。
【背景技術】
【０００２】
ゴルフクラブヘッドの評価を左右する要因としては、外観、打感、打音が挙げられる。外観の改善については、装飾性を向上すること等が提案されている（特許文献１、２）。打感の改善については、振動を減衰させる要素を設けること等が提案されている（特許文献３）。打音の改善については、金属片を固着すること等が提案されている（特許文献４、５）。
【先行技術文献】
【特許文献】
【０００３】
【特許文献１】特開２００５−１３５２９号公報
【特許文献２】特開２００６−１８１０３２号公報
【特許文献３】特表平６−５１０６８９号公報
【特許文献４】特開２００３−３３９９２２号公報
【特許文献５】特開平１１−３４７１５６号公報
【発明の概要】
【発明が解決しようとする課題】
【０００４】
外観の改善に関し、装飾シート等の表示体を貼着する等して設ける方法は、比較的簡易にゴルフクラブヘッドの装飾性を向上することができる。しかし、ソール部に表示体を設けた場合、スイング時に地面とソール部とが接触することにより、剥がれ易いという問題がある。
【０００５】
一方、打音の改善に関し、ドライバヘッド等の中空のゴルフクラブヘッドでは、年々そのヘッド体積の増加が進んでおり、ソール部が薄肉化されると共に面積も増大している。このため、打音が低音となる傾向にあり、高打音を好むゴルファーからは、より高打音を発するゴルフクラブヘッドが望まれている。
【０００６】
本発明の目的は、ゴルフクラブヘッドの外観と打音とを改善することにあり、特に、装飾用の表示体が剥がれ難く、かつ、打音をより高音化することにある。
【課題を解決するための手段】
【０００７】
本発明によれば、フェース部と、クラウン部と、ソール部と、サイド部とを有する中空のゴルフクラブヘッドにおいて、前記ソール部に形成され、周辺部分よりも突出した凸部と、前記凸部の後部の周辺部分において、前記ソール部に設けた装飾用の表示体と、を備えたことを特徴とするゴルフクラブヘッドが提供される。
【発明の効果】
【０００８】
本発明によれば、装飾用の表示体が剥がれ難く、かつ、打音をより高音化することができる。
【図面の簡単な説明】
【０００９】
【図１】本発明の一実施形態のゴルフクラブヘッドの斜視図。
【図２】実施形態のゴルフクラブヘッドをソール部側から見た図。
【図３】（Ａ）は図２の線Ｉ−Ｉに沿う断面図、（Ｂ）は図２の線ＩＩ−ＩＩに沿う断面図、（Ｃ）は図２の線ＩＩＩ−ＩＩIに沿う断面図、（Ｄ）は図２の線ＩＶ−ＩＶに沿う断面図。
【図４】（Ａ）は装飾シートの外観図、（Ｂ）は実施形態のゴルフクラブヘッドを装飾シートを分離してソール部側から見た図。
【発明を実施するための形態】
【００１０】
図１乃至図４を参照して本発明の実施形態について説明する。図１はゴルフクラブヘッド１０の斜視図、図２はゴルフクラブヘッド１０をソール部１３側から見た図、図３（Ａ）は図２の線Ｉ−Ｉに沿う断面図、図３（Ｂ）は図２の線ＩＩ−ＩＩに沿う断面図、図３（Ｃ）は図２の線ＩＩＩ−ＩＩIに沿う断面図、図３（Ｄ）は図２の線ＩＶ−ＩＶに沿う断面図、図４（Ａ）は装飾シート２２の外観図、図４（Ｂ）はゴルフクラブヘッド１０を装飾シート２２を分離してソール部１３側から見た図である。
【００１１】
ゴルフクラブヘッド１０は中空体をなしており、その周壁が、フェース面（打撃面）を形成するフェース部１１と、ゴルフクラブヘッド１０の上部を形成するクラウン部１２と、ソール部１３と、クラウン部１２とソール部１３との間のサイド部１４と、を構成している。サイド部１４はゴルフクラブヘッド１０の側部を形成し、トウ側、ヒール側、バック側の部分を含む。また、ゴルフクラブヘッド１０はシャフトが取付けられるホゼル部１５を備える。
【００１２】
ゴルフクラブヘッド１０はドライバ用のゴルフクラブヘッドであるが、本発明はドライバ以外のフェアウエイウッド等も含むウッド型のゴルフクラブヘッド、ユーティリティ型（ハイブリッド型）のゴルフクラブヘッド、その他の中空のゴルフクラブヘッドに適用可能である。ゴルフクラブヘッド１０は、金属材料から作成することができ、そのような金属材料としては、チタン系金属（例えば、Ｔｉ−６Ａｌ−４Ｖのチタン合金等）、ステンレス、ベリリウムカッパー等の銅合金が挙げられる。
【００１３】
ゴルフクラブヘッド１０は、複数のパーツを接合して組み立てることができる。例えば、クラウン部１２、ソール部１３、サイド部１４及びフェース部１１の周縁部分を構成し、フェース部１１に相当する部分の一部に開口部が形成された本体部材と、該本体部材の該開口部に接合されるフェース部材と、から構成できる。
【００１４】
次に、ソール部１３には周辺部分よりも突出した凸部１３１が形成されている。凸部１３１を形成したことで、ソール部１３は凸部１３１とサイド部１４との間の領域が相対的に凹んだ凹部となっている。この凹部には、後述する装飾シート２２が貼着される。
【００１５】
本実施形態の場合、凸部１３１は、フェース部１１の下端部から形成され、トウ-ヒール方向の中央部分において、フェース部１１からバック側へ延設され、かつ、トウ-ヒール方向の幅がフェース部１１からバック側へ向かって減少した形状をなしている。
【００１６】
凸部１３１の周辺部分は、棚部１３２と、棚部１３２の外方の傾斜部１３３と、から構成されている。棚部１３２は、ソール部１３の中央部からバック側において凸部１３１の表面と平行に形成され、ソール部１３の中央部からフェース部１１へ向けて凸部１３１との段差が小さくなるように形成されている。傾斜部１３３は棚部１３２から傾斜してサイド部１４に接続されている。
【００１７】
ソール部１３には、装飾性向上を目的とした無端の溝１３４が形成されている。溝１３４は、凸部１３１、棚部１３２および傾斜部１３３に渡って形成されている。溝部１３４の一部と、棚部１３２の周縁の一部とにより囲まれる、傾斜部１３３上の領域Ｓ（図４）には、装飾用の表示体として装飾シート２２が貼着されている。領域Ｓは凸部１３１の後部（バック側の部分）の周辺部分に位置している。
【００１８】
装飾シート２２は、フィルム状の基材にインク層を設けて着色したものであり、例えば、水スライド式デカール、紙製のシート、樹脂製のシート等であって、その厚みは例えば０．０２〜０．２ｍｍ程度である。本実施形態の場合、装飾シート２２は全体としてＶ字型をなしており（図４）、また、透明シートに格子状の模様を設けて形成されている。このため、装飾シート２２は、透明部分２２ａと、透明でない模様部分２２ｂとを有しており、透明部分２２において装飾シート２２の貼着面に形成された下地塗装層２１（図３（Ｄ）、図４）が透けて見えるようになっている。
【００１９】
なお、装飾シート２２は任意の形状とすることができ、模様の形状も格子状に限られず、各種の模様を施すことができる。また、透明部分２２ａを有しない構成も採用可能である。
【００２０】
また、装飾用の表示体としては、上記の装飾シート２２のようにフィルム状の基材を有するもの以外に、基材を有しないインク体のみのものであってもよく、例えば、ドライデカール等からソール部１３に転写されたインク体であってもよい。
【００２１】
下地塗装層２１はたとえば、パール塗装等の層からなる。本実施形態の場合、図３（Ｄ)に示すように、装飾シート２２の貼着部分の断面構造が、ヘッド素材１３’上に下地塗装層２１、装飾シート２２、透明の保護層２３を順に形成した３層構造となっている。
【００２２】
上記のとおり、装飾シート２２は透明部分２２ａを有しているため、装飾シート２２の貼着部分の外観は、下地塗装層２１と模様部分２２ｂとにより模様が形成され、これが保護層２３で覆われて艶を出した意匠となっている。下地塗装層２１と模様部分２２ｂとにより模様が形成されるので、装飾性の高い意匠を構成できる。保護層２３はたとえばクリア塗料等の層からなり、装飾シート２２の表面を覆って装飾シート２２の剥離および損傷を防止する機能も有している。
【００２３】
本実施形態の場合、図４（Ｂ）に示すように、下地塗装層２１は領域Ｓの全域に渡って形成されているが、図４（Ａ)に示すように装飾シート２２は、領域Ｓ（図４（Ａ)において破線で示す。）と相似形であるものの、領域Ｓよりも小さくしている。本実施形態の場合、下地塗装層２１の形成領域である領域Ｓは、上記のとおり、溝部１３４の一部と、棚部１３２の周縁の一部とにより囲まれた領域であるため、その周縁が角部となっている。そこで、装飾シート２２の周縁をこの角部にぴったりと合わせず、内側へずらすことで装飾シート２２を剥がれ難くしている。
【００２４】
このような構成からなるゴルフクラブヘッド１０では、ソール部１３にフェース部１１の下端部からつらなる凸部１３１を設けたことで打音をより高音化することができる。これは、凸部１３１がソール部１３全体の面積よりも小さいとともに、凸部１３１によりソール部１３の剛性が高くなり、その一次振動モードの固有値（固有振動数）を増大させることができるからである。
【００２５】
一方、装飾シート２２は凸部１３１の後部の周辺部分に貼着されているので、打撃時には凸部１３１が先に地面と接触し、装飾シート２２が直接地面に接触することを回避でき、装飾シート２２を剥がれ難くすることができる。
【００２６】
特に本実施形態の場合、凸部１３１は、トウ-ヒール方向の中央部分において、フェース部１１からバック側へ延設され、かつ、トウ-ヒール方向の幅がフェース部１１からバック側へ向かって減少している。このため、装飾シート２２の全域に渡って、そのフェース部１１側に凸部１３１が存在しており、打撃時に装飾シート２２を凸部１３で保護できる。更に、装飾シート２２は傾斜部１３３に貼着されているため、凸部１３１が地面に強く接して少し沈んだ場合であっても、先に棚部１３２が地面に接して沈みこみが抑制され、装飾シート２２が地面に接することを防止できる。
【００２７】
このように本実施形態では、凸部１３によってソール部１３の固有値増大と装飾シート２２の保護とを同時に図ることができる。
【図１】
2013000184.tif 000003
【図２】
2013000184.tif 000004
【図３】
2013000184.tif 000005
【図４】
2013000184.tif 000006